(57)【特許請求の範囲】
【請求項１】
軸筒内に筆記体を配置して、軸筒の先端開口より筆記体のペン先部が出入自在に構成されるキャップレス筆記具に於いて、
前記軸筒の先端開口に、ゴム材または弾性樹脂材で形成されるインナーキャップを備え、該インナーキャップは、軸筒軸心方向に沿ったペン先部出側に、ペン先部が出入自在のスリットが形成されるとともに先端開口を閉塞する閉塞部を有し、該閉塞部の外周部から後方に筒部が形成され、その筒部内孔を拡開する状態にホルダーの前端に設けた筒部が嵌着されて、閉塞部には常時スリットを閉じる側に向かう応力が掛かるようになされて軸筒内に装着され、また、インナーキャップ２０の筒部内孔を径方向に拡開する量は、５％〜３０％の範囲に、好ましくは略２０％に拡開してなることを特徴とするキャップレス筆記具。
【請求項２】
スリットの方向と略一致する方向でインナーキャップの筒部内孔が拡張されるように、インナーキャップの筒部内孔とホルダーの筒部外周との間の所用箇所に凸部が形成されたことを特徴とする請求項１に記載のキャップレス筆記具。
【請求項３】
インナーキャップの閉塞部は、先端開口に向かいアーチ状に突出した形状を有することを特徴とする請求項１に記載のキャップレス筆記具。
【発明の詳細な説明】
【０００１】
【発明の属する技術分野】
本発明は、キャップレスの筆記具に関し、特に、乾燥防止機構を有するキャップレス筆記具に関する。
【０００２】
【従来の技術】
従来、水性や油性のマーキングペン、水性ボールペンや万年筆などの筆記具においては、筆記部の先端のインクが乾燥して筆記できなくなることを防止するために、先端部を密閉するためのキャップを備えるものが一般に用いられている。  また、上記のようにキャップを備えた筆記具の場合には、頻繁に使用する際に、使用するたびにキャップを着脱する必要があり面倒であることから、別体のキャップを不要とした、いわゆるキャップレスの筆記具が数多く提案されている。
【０００３】
しかしながら、キャップレスの筆記具の場合、別体のキャップの代わりに狭い筆記体内部に先端部を密閉するための密閉機構を構成する必要があり、従来の方式によると密閉機構が複雑となり、構成部品の部品点数が多くなることで、組立て作業が複雑となり、さらに、生産コストが高くなるという問題点があった。
【０００４】
そこで、筆記部先端を密閉する方法として、実開昭４９−３２７３１号公報（以下、従来例１と称する。）に開示されているように、筆記具の軸筒内部の先端部に中央から外側に向かい切り込みを入れた弁板を組み込み、その切り込み部分より筆記部先端を突出するようにした方式や、実開昭４９−１０７４２１号公報（以下、従来例２と称する。）に開示されているように、筆記具の軸筒内部の基端部及び先端部にパッキンを設けて軸筒内部を密閉するとともに、先端部の対向当接させたパッキンの当接部より筆記部先端を突出するようにした方式や、実開昭６３−２３０８４号公報（以下、従来例３と称する。）に開示されているように、キャップ本体の前方に開口部を有する弾性自閉体を設けて、軸筒先端部のペン先部を突出するようにしたものが提案されている。
【０００５】
また、その他の方法として、特開平１−２８１９９９号公報（以下、従来例４と称する。）に開示されているように、筆記具の軸筒内部の先端部に形成され、筆記部のペン先部が収容されるシール室の先端側を開閉自在とするシール手段を備え、該ペン先部が先端部より突出する時に、シール室の先端側を開放するようにした方式や、実開昭５８−８９３９４号公報（以下、従来例５と称する。）に開示されているように、筆記具の軸筒内の先端部に配置される先軸先端部にペン先部を密閉する密閉部材が密嵌固定されて、先軸の動作に伴い密嵌部材の先端部が開閉するようにした方法が提案されている。
【０００６】
しかしながら、前記従来例１、２、３のような方式によると、ペン先が突出するシール部にはすでに開口部が形成されているため密閉性に問題がある。また、従来例４のような方式によると、シール室やシール開閉機構など構造が複雑になるという問題があり、同様に、従来例５のような方式においても、別部品でシール室を構成して開口機構を設けるなど構造が複雑になるという問題がある。
【０００７】
【発明が解決しようとする課題】
本発明は、上記従来の問題点に鑑みてなされたものであり、簡単な構成で軸筒内部の先端部の密閉状態を確実にしたキャップレス筆記具を提供することを目的とするものである。
【０００８】
【課題を解決するための手段】
本発明は、上記課題を達成する為に以下の構成を有する。
請求項１に記載の発明に係るキャップレス筆記具は、軸筒内に筆記体を配置して、軸筒の先端開口より筆記体のペン先部が出入自在に構成されるキャップレス筆記具に於いて、
前記軸筒の先端開口に、ゴム材または弾性樹脂材で形成されるインナーキャップを備え、該インナーキャップは、軸筒軸心方向に沿ったペン先部出側に、ペン先部が出入自在のスリットが形成されるとともに先端開口を閉塞する閉塞部を有し、該閉塞部の外周部から後方に筒部が形成され、その筒部内孔を拡開する状態にホルダーの前端に設けた筒部が嵌着されて、閉塞部には常時スリットを閉じる側に向かう応力が掛かるようになされて軸筒内に装着され、また、インナーキャップ２０の筒部内孔を径方向に拡開する量は、５％〜３０％の範囲に、好ましくは略２０％に拡開してなることを特徴とするキャップレス筆記具。
【０００９】
請求項２に記載の発明に係るキャップレス筆記具は、請求項１に記載のキャップレス筆記具に於いて、スリットの方向と略一致する方向でインナーキャップの筒部内孔が拡張されるように、インナーキャップの筒部内孔とホルダーの筒部外周との間の所用箇所に凸部が形成されたことを特徴とする。
【００１０】
請求項３に記載の発明に係るキャップレス筆記具は、請求項１に記載のキャップレス筆記具に於いて、インナーキャップの閉塞部は、先端開口に向かいアーチ状に突出した形状を有することを特徴とする。
【００１１】
【発明の実施の形態】
以下、本発明の実施の形態を図面に基づいて説明する。
図１乃至図４は発明の実施の形態を示す一例である。
図１は本発明の実施形態に係るキャップレス筆記具の全体の構成を示す断面図、図２は本実施形態に係るインナーキャップとホルダーの嵌着状態を示す径方向の断面図、図３はインナーキャップの正面から見た状態を示す図、図４はインナーキャップにホルダー嵌着する前の状態を示す図である。
【００１２】
先ず、キャップレス筆記具１は、図１に示すように軸筒２内に筆記体５を配置して、該軸筒２の先端部３に形成された開口部４より筆記体５のペン先部６を突出自在となるように構成したものである。
前記筆記体５は、軸筒２内の前側の内周に沿って配置されたコイルスプリング７によって後部方向に付勢されると共に後方に保持されている。また、筆記体５には、ペン先部６を突出させるためのノック部１１が軸筒後端部１２より突出して設けられており、ノック部１１を前進することで係止機構部１０によってペン先部６を開口部４から出没状態に係止する。すなわち、係止機構部１０は、軸筒２の後部に設けられてペン先部６を開口部４から出没状態に係止する。
【００１３】
なお、係止機構部は、図示した形態に限らず様々のものが知られており、その構成は本発明の要旨ではないので説明は省略する。また、ノック部は筆記体の後端に別体で配設される場合もある。
【００１４】
図１に示されるように、軸筒２内の先端部３には、先端方向にアーチ状に突出形成された閉塞部２１を有するインナーキャップ２０が固定されている。
インナーキャップ２０は、その後端内孔にホルダー２５が嵌着され、閉塞部２１の外周部に設けられた鍔部２２が先端部３内孔面に設けられた前段部２８に略当接し、ホルダー２５の鍔部２７の前端が前段部２８後方に設けられた後段部２９に当接すると共にホルダー２５によって先端部３内孔に位置決め固定される。
【００１５】
また、図２乃至図４に示されるように、前記インナーキャップ２０は、ゴム材や弾性樹脂で形成され、閉塞部２１には、前記鍔部２２と閉塞部２１の略中心を通る直径上のスリット２４が十文字状に形成されている。また、アーチ状（ドーム状）の閉塞部２１の外周部に適宜に膨出した鍔部２２が形成され、さらに鍔部２２の後方に筒部２３が形成されている。
また、その筒部内孔を拡開（矢印Ｐ方向）する為に、ホルダー２５の前端に設けられた筒部２６が前記筒部内孔より適宜増径されて設けられ、その筒部２６が筒部内孔に嵌着されて、閉塞部２１に常時スリット２４を閉じる側に向かう応力が掛かるようになされている。
【００１６】
また、インナーキャップ２０の筒部内孔を径方向に拡開する量は、無論インナーキャップの材質や硬度、筒部の大きさと肉厚、閉塞部の形状と肉厚、スリットの形状や数などの設計都合によって変化するが、５％〜３０％の範囲に、好ましくは略２０％に拡開することによって、閉塞部２１にはスリット部２４を閉じる側、即ち、効果的に閉塞面を後方に戻す応力が掛かる。
なお、スリットの数は限定されないが、効果的に閉塞面を後方に戻すには、閉塞部の中心を通る一文字状、十文字状、中心から放射状に３本〜６本程度に設けられる。
【００１７】
また、スリットの方向と略一致する方向でインナーキャップの筒部内孔が拡張されるように設けられる。インナーキャップの筒部内孔が閉塞部に設けられたスリットの方向と略一致する方向に拡張されることによって、スリット面を接触させる方向の応力が作用する。その場合、スリットの方向と略一致する方向でインナーキャップの筒部内孔とホルダーの筒部外周との間の所用箇所にインナーキャップの筒部内孔を拡張するように凸部が形成される。
前記凸部は、ホルダーの筒部を多角形となせば、その対角が凸部としての作用点となる。
【００１８】
また、もっとも単純なスリット形状としてスリットが一文字に形成されている場合、インナーキャップの筒部内孔に、筒部が楕円あるいは長円となったホルダーの該筒部の長径方向をスリット方向と一致させて嵌着することで、スリット面を接触させる方向の応力を効果的に得ることが可能となる。
【００１９】
また、本実施形態では、効果的に閉塞面を後方に戻す閉塞部の形状として、インナーキャップ２０の閉塞部２１の形状をアーチ状（ドーム状）としているが、本発明は、閉塞部の形状に限定されるものではなく、例えば、平面状としたものや凹状に凹んだ形状としたもの、あるいは円錐状、多角錐状としたものであっても良い。
【００２０】
ところで、インナーキャップ２０の材質としては、ゴム材または弾性樹脂材からなる材質であれば、特に限定されず、
例えば、エチレンプロピレンゴム（ＥＰＤＭ）、ブチルゴム（ＩＩＲ）、シリコーンゴム（Ｑ）、クロロブレンゴム（ＣＲ）、アクリロニトリルブタジエンゴム（ＮＢＲ）、ウレタンゴム（Ｕ）、フッ素ゴム（ＦＫＭ）、クロロスルホン化ゴポリエチレンゴム（ＣＳＭ）、エビクロロヒドリンゴム、多硫化ゴム、オレフィン系熱可塑性エラストマー、その他上記各ゴム同士のブレンド品、上記各ゴムと樹脂材とのブレンド品などが挙げられる。
また、インク溶剤に対して非透過性に優れたゴム材等を使用することが望ましく、必要によって非透過性に優れた皮膜を設けることによって、インナーキャップ２０先端側からのインク溶剤の揮発をさらに防止することが可能となる。
【００２１】
次に、本実施形態に係るキャップレス筆記具の作動を説明する。
まず、キャップレス筆記具１を使用しない場合は、軸筒２の内部に筆記体５とともにペン先部６も収容されている。
【００２２】
前記キャップレス筆記具１を使用する場合、軸筒２を握り、筆記体５の後端部に形成されたノック部１１をコイルスプリング７のばね力に抗して先端方向へ押し込むことにより筆記体５が前進する。
また、係止機構部１０の前端に設けられた係止部１０ａが軸筒２に穿設された窓部を貫通して設けられ、筆記体後方でノック部１１の前端外周部に設けられた係止段部１１ａに係合して筆記体５が前進した状態に係止される。
【００２３】
そのとき、ペン先部６は、インナーキャップ２０の閉塞部２１のスリット２４を押し開き、軸筒２の先端部３の開口部４より突出した状態となる。
また、その状態で、係止機構部の係止状態を解除すると、コイルスプリング７のばね力により筆記体５は再び軸筒内に収容される。
【００２４】
またその際、インナーキャップ２０に於いて、スリット２４からペン先部６が軸筒２内に後退すると、前記スリット２４は、シリコーンゴムの弾性力と閉塞部２１の外側から内側に作用する力によって隙間が密着した状態となる。
したがって、キャップレス筆記具１を使用しない状態では、スリット２４からのインクの揮発を最小限に止めることができる。
【００２５】
【作用】
本発明によれば、以下のような作用が得られる。
すなわち、軸筒内に筆記体を配置して、該軸筒の先端開口より筆記体のペン先部が出入自在に構成されるキャップレス筆記具に於いて、
前記軸筒の先端開口に、ゴム材または弾性樹脂材で形成されるインナーキャップを備え、前記インナーキャップは、軸筒軸心方向に沿ったペン先部出側に、ペン先部が出入自在のスリットが形成されるとともに前記先端開口を閉塞する閉塞部を備え、前記インナーキャップ後端の筒部に拡開力が懸かった状態で軸筒内に装着されることで、閉塞部にスリットが常に閉じる方向に力が掛かり、該ペン先突出部の密着性を高めることができるので、軸筒内のペン先部近傍の密閉状態を確実にすることができる。
【００２６】
また、インナーキャップの筒部内孔が閉塞部に設けられたスリットの方向と略一致する方向に拡張されることによって、スリット面を接触させる方向の応力が作用し、スリットの密着性を確実にすることができる。
【００２７】
【発明の効果】
以上説明したように、従来のスリット状にあるシール部の密閉不完全な問題や、シール開閉機構などの構造が複雑で安価に提供できないという問題が解決可能となる。
本発明のキャップレス筆記具によれば、ゴム材または弾性樹脂材で形成されるインナーキャップを備え、該インナーキャップは、軸筒軸心方向に沿ったペン先部出側に、ペン先部が出入自在のスリットが形成されるとともに先端開口を閉塞する閉塞部を有し、該閉塞部の外周部から後方に筒部が形成され、その筒部内孔を拡開する状態にホルダーの前端に設けた筒部が嵌着されて、常時閉塞部には常時スリットを閉じる側に向かう応力が掛かるようになされ、簡単な構成で軸筒内部の先端部を密閉できるので、ペン先部の密閉状態を確実にすることができ、長期保存性に優れたキャップレス筆記具が安価に提供可能となる。
【図面の簡単な説明】
【図１】本発明の実施形態の一例であるキャップレス筆記具の全体の構成を示す断面図である。
【図２】本発明の実施形態に係るインナーキャップにホルダーを嵌着した状態を示す断面図。
【図３】インナーキャップを正面から見た図である。
【図４】インナーキャップにホルダー嵌着する前の状態を示す図。
【符号の説明】
１      キャップレス筆記具
２      軸筒
３      先端部
４      開口部
５      筆記体
６      ペン先部
７      コイルスプリング
１０    係止機構部
１０ａ  係止部
１１    ノック部
１１ａ  係止段部
１２    軸筒後端部
２０    インナーキャップ
２１    閉塞部
２２    鍔部
２３    筒部
２４    スリット
２５    ホルダー
２６    筒部
２７    鍔部
２８    前段部
２９    後段部
【図１】
0003561515.tif 000002
【図２】
0003561515.tif 000003
【図３】
0003561515.tif 000004
【図４】
0003561515.tif 000005